【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
第１色を表示する第１カラー画素と第２色を表示する第２カラー画素と第３色を表示する第３カラー画素を有しており、各カラー画素が少なくとも２個の小画素を有しており、その小画素群が第１配置パターンで配置されている第１画素群と、
第１色を表示する第１カラー画素と第２色を表示する第２カラー画素と第３色を表示する第３カラー画素を有しており、各カラー画素が少なくとも２個の小画素を有しており、その小画素群が前記第１配置パターンとは異なる第２配置パターンで配置されている第２画素群を備え、
前記第１画素群と第２画素群が、少なくとも一つの方向に沿って交互に配置されていることを特徴とするカラーディスプレイ。
【請求項２】
前記第１カラー画素が第１小画素と第２小画素とを有しており、前記第２カラー画素が第３小画素と第４小画素とを有しており、前記第３カラー画素が第５小画素と第６小画素とを有していることを特徴とする請求項１のカラーディスプレイ。
【請求項３】
前記第１小画素は第１色の暗表示出力信号によって駆動され、前記第２小画素は第１色の明表示出力信号によって駆動され、前記第３小画素および前記第４小画素は第２色の表示出力信号によって駆動され、前記第５小画素は第３色の明表示出力信号によって駆動され、前記第６小画素は第３色の暗表示出力信号によって駆動されることを特徴とする請求項２のカラーディスプレイ。
【請求項４】
前記第１配置パターンと第２配置パターンでは、前記第１小画素と前記第２小画素が第１方向に隣接して配置されており、前記第３小画素と前記第５小画素が隣接して配置されており、前記第４小画素と前記第６小画素が隣接して配置されており、前記第１小画素と前記第２小画素のいずれか一方と前記第５小画素が前記第１方向と異なる第２方向に隣接して配置されており、
前記第１配置パターンでは、前記第５小画素と前記第６小画素が前記第１方向および第２方向と異なる第３方向に隣接して配置されており、
前記第２配置パターンでは、前記第５小画素と前記第６小画素が前記第１方向、第２方向および第３方向と異なる第４方向に隣接して配置されていることを特徴とする請求項２又は３のカラーディスプレイ。
【請求項５】
前記第１方向は水平方向であり、前記第２方向は垂直方向であり、前記第３方向は一方の対角方向であり、前記第４方向は他方の対角方向であることを特徴とする請求項４のカラーディスプレイ。
【請求項６】
前記第１色のカラー画素は緑色画素であり、前記第２色のカラー画素は赤色画素であり、前記第３色のカラー画素は青色画素であることを特徴とする請求項１から５のいずれかのカラーディスプレイ。
【請求項７】
前記第１配置パターンおよび第２配置パターンでは、前記小画素が２行３列のマトリクス状に配置されているとともに、前記第１小画素と前記第２小画素が第１列に配置されており、前記第３小画素と前記第５小画素が第２列に配置されており、前記第４小画素と前記第６小画素が第３列に配置されていることを特徴とする請求項２のカラーディスプレイ。
【請求項８】
前記第１配置パターンは、前記第１小画素を第１行第１列に配置し、前記第２小画素を第２行第１列に配置し、前記第３小画素を第１行第２列へ配置し、前記第５小画素を第２行第２列へ配置し、前記第４小画素を第２行第３列へ配置し、前記第６小画素を第１行第３列へ配置する配置パターンであり、
前記第２配置パターンは、第１小画素を前記第１行第１列へ配置し、前記第２小画素を第２行第１列へ配置し、前記第３小画素を第２行第２列へ配置し、前記第５小画素を第１行第２列へ配置し、前記第４小画素を第１行第３列へ配置し、前記第６小画素を第２行第３列へ配置する配置パターンであることを特徴とする請求項７のカラーディスプレイ。
【請求項９】
前記第１画素群の前記第１小画素は第１の緑色暗表示出力信号によって駆動され、前記第１画素群の前記第２小画素は第１の緑色明表示出力信号によって駆動され、前記第１画素群の前記第３小画素および前記第４小画素は第１の赤色出力信号によって駆動され、前記第１画素群の前記第５小画素は第１の青色明表示出力信号によって駆動され、前記第１画素群の前記第６小画素は第１の青色暗表示出力信号によって駆動され、
前記第２画素群の前記第１小画素は第２の緑色明表示出力信号によって駆動され、前記第２画素群の前記第２小画素は第２の緑色明表示出力信号によって駆動され、前記第２画素群の前記第３小画素および前記第４小画素は第２の赤色出力信号によって駆動され、前記第２画素群の前記第５小画素は第２の青色明表示出力信号によって駆動され、前記第２画素群の前記第６小画素は第２の青色暗表示出力信号によって駆動されることを特徴とする請求項８のカラーディスプレイ。
【請求項１０】
表示信号に対応付けて明表示信号および暗表示信号を記述している参照テーブルを記憶している記憶手段が付加されていることを特徴とする請求項９のカラーディスプレイ。
【請求項１１】
前記小画素を駆動する前記明表示出力信号には、その小画素に対して指示された表示信号に対応して前記参照テーブルに記述されている明表示信号参照値が用いられ、
前記暗表示出力信号には、指示された表示信号に対応して前記参照テーブルに記述されている暗表示信号参照値が用いられることを特徴とする請求項１０のカラーディスプレイ。
【請求項１２】
前記小画素を駆動する前記暗表示出力信号には、その小画素に隣接する同一色の小画素群のなかの少なくとも２つに対して指示された表示信号に対応して前記参照テーブルに記述されている暗表示信号参照値の平均値が用いられることを特徴とする請求項１０のカラーディスプレイ。
【請求項１３】
各画素群の第２行に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項１０のカラーディスプレイ。
【請求項１４】
各画素群の第２行に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項１０のカラーディスプレイ。
【請求項１５】
各画素群の第２行および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項１０のカラーディスプレイ。
【請求項１６】
各画素群の第２行および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項１０のカラーディスプレイ。
【請求項１７】
各画素群の第２行、第１行第２列および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項１０のカラーディスプレイ。
【請求項１８】
各画素群の第２行、第１行第２列および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項１０のカラーディスプレイ。
【請求項１９】
前記第１配置パターンおよび第２配置パターンでは、前記小画素が２行３列のマトリクス状に配置されているとともに、前記第１小画素と前記第３小画素が第１列に配置されており、前記第２小画素と前記第５小画素が第２列に配置されており、前記第４小画素と前記第６小画素が第３列に配置されていることを特徴とする請求項２のカラーディスプレイ。
【請求項２０】
前記第１配置パターンは、前記第１小画素を第１行第１列へ配置し、前記第３小画素を第２行第１列へ配置し、前記第２小画素を第１行第２列へ配置し、前記第５小画素を第２行第２列へ配置し、前記第６小画素を第１行第３列へ配置し、前記第４小画素を第２行第３列へ配置する配置パターンであり、
前記第１配置パターンは、前記第１小画素を第２行第１列へ配置し、前記第３小画素を第１行第１列へ配置し、前記第２小画素を第２行第２列へ配置し、前記第５小画素を第１行第２列へ配置し、前記第６小画素を第２行第３列へ配置し、前記第４小画素を第１行第３列へ配置する配置パターンであることを特徴とする請求項１９のカラーディスプレイ。
【請求項２１】
前記第１画素群の前記第１小画素は第１の緑色暗表示出力信号によって駆動され、前記第１画素群の前記第２小画素は第１の緑色明表示出力信号によって駆動され、前記第１画素群の前記第３小画素および前記第４小画素は第１の赤色出力信号によって駆動され、前記第１画素群の前記第５小画素は第１の青色明表示出力信号によって駆動され、前記第１画素群の前記第６小画素は第１の青色暗表示出力信号により駆動され、
前記第２画素群の前記第１小画素は第２の緑色暗表示出力信号によって駆動され、前記第２画素群の前記第２小画素は第２の緑色明表示出力信号によって駆動され、前記第２画素群の前記第３小画素および前記第４小画素は第２の赤色出力信号によって駆動され、前記第２画素群の前記第５小画素は第２の青色明表示出力信号によって駆動され、前記第２画素群の前記第６小画素は第２の青色暗表示出力信号によって駆動されることを特徴とする請求項２０のカラーディスプレイ。
【請求項２２】
前記第１画素群の前記第１小画素は第１の緑色暗表示出力信号によって駆動され、前記第１画素群の前記第２小画素は第１の緑色明表示出力信号によって駆動され、前記第１画素群の前記第３小画素および前記第４小画素は第１の赤色出力信号によって駆動され、前記第１画素群の前記第５小画素は第１青色暗表示出力信号によって駆動され、前記第１画素群の前記第６小画素は第１の青色明表示出力信号によって駆動され、
前記第２画素群の前記第１小画素は第２の緑色暗表示出力信号によって駆動され、前記第２画素群の前記第２小画素は第２緑色明表示出力信号によって駆動され、前記第２画素群の前記第３小画素および前記第４小画素は第２の赤色出力信号によって駆動され、前記第２画素群の前記第５小画素は第２の青色暗表示出力信号によって駆動され、前記第２画素群の前記第６小画素は第２の青色明表示出力信号によって駆動されることを特徴とする請求項８のカラーディスプレイ。
【請求項２３】
表示信号に対応付けて明表示信号および暗表示信号を記述している参照テーブルを記憶している記憶手段が付加されていることを特徴とする請求項２１又は２２のカラーディスプレイ。
【請求項２４】
小画素を駆動する前記明表示出力信号には、その小画素に対して指示された表示信号に対応して前記参照テーブルに記述されている明表示信号参照値が用いられ、
前記暗表示出力信号には、指示された表示信号に対応して前記参照テーブルに記述されている暗表示信号参照値が用いられることを特徴とする請求項２３のカラーディスプレイ。
【請求項２５】
前記小画素を駆動する前記暗表示出力信号には、その小画素に隣接する同一色の小画素群のなかの少なくとも２つに対して指示された表示信号に対応して前記参照テーブルに記述されている暗表示信号参照値の平均値が用いられることを特徴とする請求項２３のカラーディスプレイ。
【請求項２６】
各画素群の第２行に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項２３のカラーディスプレイ。
【請求項２７】
各画素群の第２行に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項２３のカラーディスプレイ。
【請求項２８】
各画素群の第２行および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項２３のカラーディスプレイ。
【請求項２９】
各画素群の第２行および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項２３のカラーディスプレイ。
【請求項３０】
各画素群の第２行、第１行第２列および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項２３のカラーディスプレイ。
【請求項３１】
各画素群の第２行、第１行第２列および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項２３のカラーディスプレイ。
【請求項３２】
第１色を表示する第１カラー画素と第２色を表示する第２カラー画素と第３色を表示する第３カラー画素を有しており、各カラー画素が少なくとも２個の小画素を有しており、その小画素群が第１配置パターンで配置されており、その小画素群が第１信号群によって駆動される第１画素群と、
第１色を表示する第１カラー画素と第２色を表示する第２カラー画素と第３色を表示する第３カラー画素を有しており、各カラー画素が少なくとも２個の小画素を有しており、その小画素群が前記第１配置パターンとは異なる第２配置パターンで配置されており、その小画素群が第２信号群によって駆動される第２画素群とを備え、
前記第１画素群と第２画素群が、少なくとも一つの方向に沿って交互に配置されていることを特徴とするカラーディスプレイ。
【請求項３３】
前記第１信号群は、少なくとも明表示信号群と暗表示信号群とを含んでおり、
前記明表示信号群は、第１画素群のカラー画素に対する複数の明表示信号を含んでおり、
前記暗表示信号群は、第１画素群のカラー画素に対する複数の暗表示信号を含んでいることを特徴とする請求項３２のカラーディスプレイ。
【請求項３４】
前記第２信号群は、少なくとも明表示信号群と暗表示信号群とを含んでおり、
前記明表示信号群は、第２画素群のカラー画素に対する複数の明表示信号を含んでおり、
前記暗表示信号群は、第２画素群のカラー画素に対する複数の暗表示信号を含んでいることを特徴とする請求項３２のカラーディスプレイ。
【請求項３５】
前記明表示信号と暗表示信号は、対応するカラー画素に対する指示信号に基づいて選択されるものであり、合算することによって指示信号に相当する表示信号となることを特徴とする請求項３３又は３４のカラーディスプレイ。